(57)【要約】【課題】バッテリーを備え、第１規格と、第１規格より消費電力が小さい第２規格と、に従って無線通信を行う無線通信装置において、動作時間を長くすること。【解決手段】ヘッドホン１は、Wi-Fi規格、又は、Bluetooth（登録商標）（以下、「BT」という。）規格に従って、無線通信を行う。ヘッドホン１は、バッテリー９と、ＳｏＣ２と、を備える。ＳｏＣ２は、Wi-Fi規格に従って、無線通信を行っているときに、バッテリー９の残量が所定値よりも少なくなった場合に、BT規格に従って、無線通信を行う。【選択図】図２
2019033305.tif 000002
【特許請求の範囲】
【請求項１】
第１規格、又は、前記第１規格よりも消費電力が小さい第２規格に従って、無線通信を行う無線通信装置であって、
バッテリーと、
制御部と、を備え、
前記制御部は、前記第１規格に従って、無線通信を行っているときに、前記バッテリーの残量が所定値よりも少なくなった場合に、前記第２規格に従って、無線通信を行うことを特徴とする無線通信装置。
【請求項２】
前記第２規格は、前記第１規格よりも通信速度が遅いことを特徴とする請求項１に記載の無線通信装置。
【請求項３】
音楽再生機能を有することを特徴とする請求項１又は２に記載の無線通信装置。
【請求項４】
前記制御部は、
前記バッテリーの残量が所定値よりも少なくなった場合に、現在再生している楽曲の終了までの時間が、設定よりも長い場合、再生をフェードアウトして一時停止し、前記第２規格に従った無線通信に切り替え、フェードインで再生を開始することを特徴とする請求項３に記載の無線通信装置。
【請求項５】
前記制御部は、
前記バッテリーの残量が所定値よりも少なくなった場合に、現在再生している楽曲の終了までの時間が、設定よりも長くない場合、楽曲の終わりで一時停止し、前記第２規格に従った無線通信に切り替え、再生を開始することを特徴とする請求項３又は４に記載の無線通信装置。
【請求項６】
前記第１規格に従った無線通信を行うための第１無線モジュールと、
前記第２規格に従った無線通信を行うための第２無線モジュールと、
をさらに備えることを特徴とする請求項１〜５のいずれか１項に記載の無線通信装置。
【請求項７】
前記制御部は、前記第１規格に従って、無線通信を行っているときに、前記バッテリーの残量が所定値よりも少なくなった場合に、前記第２規格に従って、無線通信を行い、前記第１無線モジュールの電源をオフすることを特徴とする請求項６に記載の無線通信装置。
【請求項８】
前記第１規格は、Wi-Fi規格であり、
前記第２規格は、Bluetooth（登録商標）規格であることを特徴とする請求項１〜７のいずれか１項に記載の無線通信装置。
【発明の詳細な説明】
【技術分野】
【０００１】
本発明は、無線通信を行う無線通信装置に関する。
【背景技術】
【０００２】
携帯型のデジタルオーディオプレーヤー（以下、「ＤＡＰ」という。）とヘッドホンとが無線通信を行い、ヘッドホンは、ＤＡＰから送信されるデジタルオーディオデータを再生する（例えば、特許文献１参照。）。ここで、例えば、ＤＡＰとヘッドホンとが、Wi-Fi規格（Wi-Fiダイレクト）とBluetooth（登録商標）（以下、「BT」という。）規格とに対応している場合、Wi-Fi規格で無線通信を行った方が、ユーザーは、高音質で音楽を聴くことができる。
【先行技術文献】
【特許文献】
【０００３】
【特許文献１】特開２０１６−１２７４７３号公報
【発明の概要】
【発明が解決しようとする課題】
【０００４】
しかしながら、Wi-Fi規格による無線通信は、BT規格による無線通信よりも消費電力が大きい。このため、Wi-Fi規格による無線通信は、バッテリーの消耗が早い。言い換えれば、バッテリー電圧の下がり方が、早い。バッテリー保護のため、ある一定の電圧で電源をオフしなければならず、消費電力が大きいと、電源をオフするタイミングが早くなる。言い換えれば、ユーザーが音楽を聴くことができる時間が短くなる。
【０００５】
本発明の目的は、バッテリーを備え、第１規格と、第１規格より消費電力が小さい第２規格と、に従って無線通信を行う無線通信装置において、動作時間を長くすることである。
【課題を解決するための手段】
【０００６】
第１の発明の無線通信装置は、第１規格、又は、前記第１規格よりも消費電力が小さい第２規格に従って、無線通信を行う無線通信装置であって、バッテリーと、制御部と、を備え、前記制御部は、前記第１規格に従って、無線通信を行っているときに、前記バッテリーの残量が所定値よりも少なくなった場合に、前記第２規格に従って、無線通信を行うことを特徴とする。
【０００７】
本発明では、制御部は、第１規格に従って、無線通信を行っているときに、バッテリーの残量が所定値よりも少なくなった場合に、第２規格に従って、無線通信を行う。ここで、第２規格に従った無線通信は、第１規格に従った無線通信よりも消費電力が小さい。これにより、バッテリーの消耗が抑えられるため、無線通信装置の動作時間を長くすることができる。
【０００８】
第２の発明の無線通信装置は、第１の発明の無線通信装置において、前記第２規格は、前記第１規格よりも通信速度が遅いことを特徴とする。
【０００９】
第３の発明の無線通信装置は、第１又は第２の発明の無線通信装置において、音楽再生機能を有することを特徴とする。
【００１０】
本発明では、無線通信装置は、音楽再生機能を有する。このため、ユーザーは、従来と比較して、長く音楽を聴取することができる。
【００１１】
第４の発明の無線通信装置は、第３の発明の無線通信装置において、前記制御部は、前記バッテリーの残量が所定値よりも少なくなった場合に、現在再生している楽曲の終了までの時間が、設定よりも長い場合、再生をフェードアウトして一時停止し、前記第２規格に従った無線通信に切り替え、フェードインで再生を開始することを特徴とする。
【００１２】
第５の発明の無線通信装置は、第３又は第４の発明の無線通信装置において、前記制御部は、前記バッテリーの残量が所定値よりも少なくなった場合に、現在再生している楽曲の終了までの時間が、設定よりも長くない場合、楽曲の終わりで一時停止し、前記第２規格に従った無線通信に切り替え、再生を開始することを特徴とする。
【００１３】
第６の発明の無線通信装置は、第１〜第５のいずれかの発明の無線通信装置において、前記第１規格に従った無線通信を行うための第１無線モジュールと、前記第２規格に従った無線通信を行うための第２無線モジュールと、をさらに備えることを特徴とする。
【００１４】
第７の発明の無線通信装置は、第１〜第６のいずれかの発明の無線通信装置において、前記制御部は、前記第１規格に従って、無線通信を行っているときに、前記バッテリーの残量が所定値よりも少なくなった場合に、前記第２規格に従って、無線通信を行い、前記第１無線モジュールの電源をオフすることを特徴とする。
【００１５】
本発明では、制御部は、第１規格に従って、無線通信を行っているときに、バッテリーの残量が所定値よりも少なくなった場合に、第２規格に従って、無線通信を行い、第１無線モジュールの電源をオフする。これにより、消費電力を抑えることができる。
【００１６】
第８の発明の無線通信装置は、第１〜第７のいずれかの発明の無線通信装置において、前記第１規格は、Wi-Fi規格であり、前記第２規格は、Bluetooth（登録商標）規格であることを特徴とする。
【００１７】
本発明では、制御部は、Wi-Fi規格に従って、無線通信を行っているときに、バッテリーの残量が所定値よりも少なくなった場合に、Bluetooth（登録商標）（以下、「BT」という。）規格に従って、無線通信を行う。ここで、BT規格に従った無線通信は、Wi-Fi規格に従った無線通信よりも消費電力が小さい。これにより、無線通信装置が音楽再生機能を有する場合は、音質は犠牲になるが、バッテリーの消耗が抑えられるため、無線通信装置の動作時間を長くすることができる。
【発明の効果】
【００１８】
本発明によれば、無線通信装置の動作時間を長くすることができる。
【図面の簡単な説明】
【００１９】
【図１】本発明の実施形態に係るヘッドホンの構成を示すブロック図である。
【図２】音楽再生時のヘッドホンの処理動作を示すフローチャートである。
【図３】バッテリーの電圧とヘッドホンによる再生時間との関係を示すグラフである。
【発明を実施するための形態】
【００２０】
以下、本発明の実施形態について説明する。図１は、本発明の実施形態に係るヘッドホンの構成を示すブロック図である。ヘッドホン１（無線通信装置）は、ワイヤレスヘッドホンである。ヘッドホン１は、Wi-Fi規格（Wi-Fiダイレクト）に従って、例えば、デジタルオーディオプレーヤー（以下、「ＤＡＰ」という。）と無線通信を行い、オーディオデータを受信する。また、ヘッドホン１は、Bluetooth（登録商標）（以下、「BT」という。）規格に従って、ＤＡＰと無線通信を行い、オーディオデータを受信する。ヘッドホン１は、受信したオーディオデータを再生する。なお、本実施形態では、受信したデジタルオーディオデータをアナログオーディオデータにＤ／Ａ変換し、アナログオーディオデータを増幅して出力することを「音楽再生」という。また、BT規格は、Wi-Fi規格よりも消費電力が小さく、通信速度が遅い。
【００２１】
図１に示すように、ＤＡＰ１は、ＳｏＣ２、表示部３、操作部４、Ｄ／Ａコンバーター（以下、「ＤＡＣ」という。）５、増幅器６、BTモジュール７、Wi-Fiモジュール８、バッテリー９を備える。
【００２２】
ＳｏＣ（System on Chip）２（制御部）は、ＣＰＵ（Central Processing Unit）、ＤＳＰ（Digital Signal Processor）、メモリ等を有し、ヘッドホン１を構成する各部を制御する。表示部３は、BT規格に従った無線通信を行うBTモードであるか、Wi-Fi規格に従った無線通信を行うWi-Fiモードであるかを示すＬＥＤ等から構成される。操作部４は、電源のオン／オフを受け付けるためのボタン等を有する。
【００２３】
ＤＡＣ５は、ＤＡＰから受信したデジタルオーディオデータをアナログオーディオデータにＤ／Ａ変換する。増幅器６は、ＤＡＣ５がＤ／Ａ変換したアナログオーディオデータを増幅する。BTモジュール７（第２無線モジュール）は、BT規格（第２規格）に従った無線通信を行うためのものである。Wi-Fiモジュール８（第１無線モジュール）は、Wi-Fi規格（第１規格）に従った無線通信を行うためのものである。バッテリー９は、ヘッドホン１を構成する各部に電源電圧を供給する。
【００２４】
ＳｏＣ２は、Wi-Fiモードで音楽再生しているときに、バッテリー９の残量が所定値よりも少なくなった場合、BTモードに切り替える。以下、音楽再生時のヘッドホン１の処理動作を図２に示すフローチャートに基づいて説明する。ＳｏＣ２は、アプリケーションプログラムでＤＡＰに無線接続し、音楽再生を行う（Ｓ１）。次に、ＳｏＣ２は、無線モードを確認する（Ｓ２）。次に、ＳｏＣ２は、無線モードがWi-Fiモードであるか否かを判断する（Ｓ３）。ＳｏＣ２は、無線モードがWi-Fiモードでない、すなわち、無線モードがBTモードであると判断した場合（Ｓ３：Ｎｏ）、そのまま、BTモードで音楽再生を行う（Ｓ４）。
【００２５】
ＳｏＣ２は、無線モードがWi-Fiモードであると判断した場合、バッテリー９の電圧が所定値よりも低いか否かを判断する（Ｓ５）。ここで、バッテリー９の電圧とバッテリー９の残量とは、比例関係である。すなわち、ＳｏＣ２は、バッテリー９の電圧により、バッテリー９の残量が所定値よりも少ないか否かを判断している。
【００２６】
ＳｏＣ２は、バッテリー９の電圧が所定値よりも低くない、すなわち、所定値以上であると判断している間は（Ｓ５：Ｎｏ）、Ｓ５の処理を繰り返し実行する。ＳｏＣ２は、バッテリー９の電圧が所定値よりも低いと判断した場合（Ｓ５：Ｙｅｓ）、現在再生している楽曲の終了までの時間が、設定よりも長いか否かを判断する（Ｓ６）。ここで、現在再生している楽曲の終了までの時間が、設定よりも長い場合は、楽曲を最後まで再生しない。楽曲を最後まで再生すると、バッテリー９の残量が少なくなるためである。また、現在再生している楽曲の終了までの時間が、設定よりも長くない場合は、楽曲を最後まで再生する。楽曲を最後まで再生しても、バッテリー９の残量がそこまで少なくならないためである。
【００２７】
ＳｏＣ２は、現在再生している楽曲の終了までの時間が、設定よりも長いと判断した場合（Ｓ６：Ｙｅｓ）、再生をフェードアウトし、一時停止する（Ｓ７）。次に、ＳｏＣ２は、ＤＡＰにＡ２ＤＰの接続要求を出す（Ｓ８）。次に、ＳｏＣ２は、Wi-FiモードからBTモードに切り替える（Ｓ９）。ＳｏＣ２は、ＤＡＰと接続されたら、フェードインで音楽再生を開始する（Ｓ１０）。次に、ＳｏＣ２は、Wi-Fiモジュール８の電源をオフする（Ｓ１１）。
【００２８】
ＳｏＣ２は、現在再生している楽曲の終了までの時間が、設定よりも長くないと判断した場合（Ｓ６：Ｎｏ）、楽曲の終わりで一時停止する（Ｓ１２）。次に、ＳｏＣ２は、ＤＡＰにＡ２ＤＰの接続要求を出す（Ｓ１３）。次に、ＳｏＣ２は、Wi-FiモードからBTモードに切り替える（Ｓ１４）。ＳｏＣ２は、ＤＡＰと接続されたら、音楽再生を開始する（Ｓ１５）。次に、ＳｏＣ２は、Wi-Fiモジュールの電源をオフする（Ｓ１６）。
【００２９】
図３は、バッテリー９の電圧とヘッドホン１による再生時間との関係を示すグラフである。縦軸は、バッテリー９の電圧［Ｖ］、横軸は、再生時間［ｍｉｎ］を示している。ＳｏＣ２は、例えば、バッテリー９の電圧が所定値３．５Ｖを下回った場合、Wi-FiモードからBTモードに切り替える。これにより、再生時間を延ばすことができる。ここで、バッテリー９の保護のため、バッテリー９の電圧３．１Ｖで、ヘッドホン１の電源をオフにしなければならないとする。バッテリー９の電圧が３．５Ｖを下回っても、Wi-Fiモードのままであると、１８分後に電源をオフしなければならない。一方で、バッテリー９の電圧が３．５Ｖを下回っときに、BTモードに切り替えることで、４０分後まで電源をオフする時間を延ばすことができる。
【００３０】
なお、消費電流は、例えば、Wi-Fiモード時で２０４ｍＡ、BTモード時で８８ｍＡとなっており、Wi-Fiモード時の消費電流は、BTモード時の消費電流の約２．３倍である。
【００３１】
以上説明したように、本実施形態では、ＳｏＣ２は、Wi-Fi規格に従って、無線通信を行っているときに、バッテリー９の残量が所定値よりも少なくなった場合に、BT規格に従って、無線通信を行う。ここで、BT規格に従った無線通信は、Wi-Fi規格に従った無線通信よりも消費電力が小さい。これにより、音質は犠牲になるが、バッテリー９の消耗が抑えられるため、ヘッドホン１の動作時間を長くすることができる。従って、ユーザーは、従来と比較して、長く音楽を聴取することができる。
【００３２】
また、本実施形態では、ＳｏＣ２は、Wi-Fi規格に従って、無線通信を行っているときに、バッテリー９の残量が所定値よりも少なくなった場合に、BT規格に従って、無線通信を行い、Wi-Fiモジュール８の電源をオフする。これにより、消費電力を抑えることができる。
【００３３】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００３４】
上述の実施形態においては、第１規格として、Wi-Fi規格、第２規格として、BT規格を例示した。これに限らず、消費電力が異なる無線通信規格であれば、Wi-Fi規格とBT規格に限られない。
【００３５】
上述の実施形態においては、無線通信装置として、ヘッドホンを例示した。これに限らず、２つ以上の無線通信規格に従った無線通信装置であれば、ＤＡＰ、スマートフォン、タブレットＰＣ等であってもよい。
【産業上の利用可能性】
【００３６】
本発明は、無線通信を行う無線通信装置に好適に採用され得る。
【符号の説明】
【００３７】
１  ヘッドホン（無線通信装置）
２  ＳｏＣ（制御部）
５  ＤＡＣ
６  増幅器
７  BTモジュール（第２無線モジュール）
８  Wi-Fiモジュール（第１無線モジュール）
９  バッテリー
【図１】
2019033305.tif 000003
【図２】
2019033305.tif 000004
【図３】
2019033305.tif 000005